(57)【特許請求の範囲】
【請求項１】
吸収体と該吸収体を被覆する表面シートとを含んで構成される縦長の本体を備え、着用時に着用者の排泄部位に対向配置される排泄領域を含む前方部と、該前方部より背側に配される後方部とを、長手方向に有する生理用ナプキンであって、
着用時に前記排泄領域よりも背側に配される後方領域の本体幅方向中央部における前記本体の前記表面シート側に、該本体の幅方向に延びる第１及び第２の後方圧搾溝が形成されており、これら複数の後方圧搾溝は、該本体の長手方向に所定間隔を置いて並列に配され且つ該第１の後方圧搾溝が該第２の後方圧搾溝よりも該本体の長手方向前端寄りに位置しており、
前記本体の前記表面シート側に、前記排泄領域を包囲する全周圧搾溝が形成されており、該全周圧搾溝における該本体の長手方向後端寄りの部分が、前記第１の後方圧搾溝を兼ねており、
前記全周圧搾溝は、前記本体の幅方向に相対向する一対の括れ部を該本体の長手方向に二対有しており、これら二対の括れ部それぞれにおいて該全周圧搾溝を構成する溝が繋がっておらず、該全周圧搾溝が該長手方向に３つに分断されており、
前記全周圧搾溝によって閉じられた領域内には、二対の前記括れ部のうちの一対の括れ部間に亘って前記本体の幅方向に延びる第１横断溝が形成されていると共に、他の一対の括れ部間に亘って該幅方向に延びる第２横断溝が形成されており、該第１横断溝と該第２横断溝との間に前記排泄領域が位置しており、
前記吸収体は、前記前方部から前記後方部に延び且つ前記排泄領域を形成する縦長の下層吸収体と、該後方部における該下層吸収体の肌当接面側に配置された第１後方吸収体と、該第１後方吸収体の肌当接面側に配置された第２後方吸収体とを含んで構成されており、該第１後方吸収体は、前記第１の後方圧搾溝よりも背側に配されており、該第２後方吸収体は、前記第２の後方圧搾溝よりも背側に配されており、
前記第１後方吸収体は、前記後方部においてその長手方向両側縁が幅方向外方に延出し、その延出部が、前記本体の該後方部における左右両側縁それぞれから幅方向外方に延出する一対の後方フラップを形成しており、
前記第１及び第２の後方圧搾溝それぞれを境界として、前記本体の長手方向後端側の厚みが、該本体の長手方向前端側の厚みに比して大きい生理用ナプキン。
【請求項２】
前記第１及び第２の後方圧搾溝それぞれを境界として、前記本体の長手方向後端側の曲げ剛性が、該本体の長手方向前端側の曲げ剛性に比して大きい請求項１記載の生理用ナプキン。
【請求項３】
前記後方フラップが前記排泄領域を形成する吸収体材料と実質的に連続している請求項１又は２記載の生理用ナプキン。
【請求項４】
前記第１の後方圧搾溝と、前記第１後方吸収体における該第１の後方圧搾溝寄りの長手方向前端とは、何れも同程度の曲率を有する円弧状に形成されている請求項１〜３の何れか一項に記載の生理用ナプキン。
【発明の詳細な説明】
【技術分野】
【０００１】
本発明は、生理用ナプキン、失禁パッド等の吸収性物品に関する。
【背景技術】
【０００２】
生理用ナプキン等の吸収性物品において、身体への密着性や漏れ防止性を向上させるために、長手方向中央部や該中央部から後方部（臀部）にかけて、吸収体を突出させて中高部を形成することが知られている。
また、生理用ナプキン等の吸収性物品において、吸収体の長手方向に沿った左右両側部それぞれから幅方向外方に延出する一対の後方フラップ（後方ウイング）を設けることも知られている。後方フラップは、吸収体から延出した状態で折り返されることなくショーツ等の下着に装着されて用いられるもので、主として、吸収性物品着用者の臀部を覆って、臀部側からの液漏れ（後漏れ）を防止する役割を担うものである。
【０００３】
例えば、特許文献１には、吸収性本体の肌当接面側における長手方向中央部から後方部にかけて中高部を形成し、且つ該吸収性本体の該後方部における長手方向左右両側に、液体保持性のウイング部用吸収体を具備する左右一対の後方ウイング部を設けることが開示されている。
また、特許文献２には、吸収性物品の前方部及び後方部に、それぞれ別個に前方中高部と後方中高部とを形成し、且つ該前方中高部と該後方中高部との間に、折り曲げ起点として作用する凹部を設けることが開示されている。
【０００４】
【特許文献１】特開２０００−１８９４５９号公報
【特許文献２】特開２００６−２３９１６２号公報
【発明の開示】
【発明が解決しようとする課題】
【０００５】
特許文献１に記載の吸収性物品においては、中高部が長手方向中央部から後方部にかけて連続して形成されているため、該中高部が身体形状に沿いにくく、該中高部と身体との間に隙間が生じ、フィット性、液吸収性、後方ウイング部による臀部被覆性等の点で問題があった。
また、特許文献２に記載の吸収性物品においては、前記前方中高部と前記後方中高部との間に折り曲げ起点として作用する凹部が形成されているものの、これら両中高部の高さが実質的に同じで吸収性物品の厚み変化に乏しいため、フィット性の点で充分とは言えず、後漏れの防止に不安が残るものであった。
【０００６】
従って、本発明の目的は、身体に対するフィット性に優れ、漏れが生じ難い吸収性物品を提供することにある。
【課題を解決するための手段】
【０００７】
本発明は、吸収体と該吸収体を被覆する表面シートとを含んで構成される縦長の本体を備え、着用時に着用者の排泄部位に対向配置される排泄領域を含む前方部と、該前方部より背側に配される後方部とを、長手方向に有する吸収性物品であって、着用時に前記排泄領域よりも背側に配される後方領域の本体幅方向中央部における前記本体の前記表面シート側に、該本体の幅方向に延びる後方圧搾溝が形成されており、前記後方圧搾溝を境界として、前記本体の長手方向後端側の厚みが、該本体の長手方向前端側の厚みに比して大きい吸収性物品を提供することにより、前記目的を達成したものである。
【発明の効果】
【０００８】
本発明の吸収性物品は、身体に対するフィット性に優れ、漏れ、特に後漏れが生じ難い。
【発明を実施するための最良の形態】
【０００９】
以下、本発明の吸収性物品を、その好ましい実施形態に基づき図面を参照して説明する。
図１及び図２には、本発明の吸収性物品の第１実施形態としての生理用ナプキンが示されている。
【００１０】
第１実施形態のナプキン１は、吸収体２と、該吸収体２を被覆し、ナプキン１の着用時に着用者の肌に当接する液透過性の表面シート３と、液不透過性又は撥水性の裏面シート４とを含んで構成される縦長の本体５を備えている。ナプキン１は、着用時に着用者の体液の排泄部位に対向配置される排泄領域Ｐを含む前方部Ａと、該前方部Ａよりも背側に配される後方部Ｂとを、長手方向に有している。ナプキン１の長手方向両端のうち、前方部Ａに位置するものがナプキン長手方向前端１ａ、後方部Ｂに位置するものがナプキン長手方向後端１ｂである。ナプキン長手方向前端１ａは本体５の長手方向前端（本体長手方向前端）５ａと一致し、ナプキン長手方向後端１ｂは本体５の長手方向後端（本体長手方向後端）５ｂと一致する。前方部Ａと後方部Ｂとの境界は、ナプキン１（本体５）の長手方向の略中央に存する。本体５は、その長手方向の略全長に亘って、前方部Ａにおける吸収体２の最大幅と等しい幅を有する略矩形体形状の部材である。
【００１１】
表面シート３は、吸収体２の上面（肌当接面側）の全域を被覆し、裏面シート４は、吸収体２の下面（非肌当接面側）の全域を被覆している。表面シート３及び裏面シート４は、後方部Ｂにおいて本体５の長手方向左右両側縁それぞれから幅方向外方に延出し、一対の後方フラップ６，６を形成している。また、表面シート３及び裏面シート４は、前方部Ａにおける排泄領域Ｐの位置において本体５の長手方向左右両側縁それぞれから幅方向外方に延出し、一対のウイング部７，７を形成している。ウイング部７は、ナプキン１の装着時に下着のクロッチ部の外面側に折り返されて用いられる。表面シート３及び裏面シート４は、本体５の両側縁及び長手方向両端からの延出部分の端部において、互いにヒートシール等により接合されてシール部を形成している。
【００１２】
裏面シート４の非肌当接面側における吸収体２の下方に位置する所定箇所には、本体粘着部（図示せず）が、ウイング部７の非肌当接面側には、ウイング部粘着部（図示せず）が、それぞれ設けられている。本体粘着部及びウイング部粘着部は、何れもナプキン１を下着に固定するための固定手段であり、ホットメルト粘着剤を所定箇所に塗布することにより設けられている。本体粘着部及びウイング部粘着部は、ナプキン１の使用前においては、フィルム、不織布、紙などからなる剥離シート（図示せず）によって被覆されている。
尚、「肌当接面側」は、ナプキン着用時に着用者の肌側に向けられる面であり、「非肌当接面側」は、ナプキン着用時に下着側（着用者の肌側とは反対側）に向けられる面である。また、「長手方向」は、ナプキン又は各種部材の長手方向に沿う方向であり、「幅方向」は、長手方向と直交する方向である。
【００１３】
着用時に排泄領域Ｐよりも背側に配される後方領域の本体幅方向中央部における本体５の表面シート３側には、該本体５の幅方向に延びる、第１の後方圧搾溝８１及び第２の後方圧搾溝９１が形成されている。これら複数の後方圧搾溝８１，９１は、本体５の長手方向に所定間隔を置いて並列に配されており、第１の後方圧搾溝８１が、第２の後方圧搾溝９１よりもナプキン長手方向前端１ａ寄りに位置している。後方圧搾溝８１，９１は、何れも表面シート３と吸収体２とが一体的に圧密化されて形成された溝部であり、例えば公知のエンボス装置を用いて本体５を表面シート３側から圧搾することにより形成することができる。
【００１４】
排泄領域Ｐと前記後方領域との境界は、ナプキン１の長手方向中央（前方部Ａと後方部Ｂとの境界）よりややナプキン長手方向前端１ａ側に偏倚した位置に存し、通常、ナプキン１の長手方向中央（ナプキン１を長手方向に二分する仮想線）からナプキン長手方向前端１ａに向かってナプキン１の長手方向に沿って０〜３０ｍｍ離間した位置に存する。従って、前記後方領域は、後方部Ｂのみならず、前方部Ａの一部（前方部Ａにおける後方部Ｂ寄りの部分）を含む場合がある。図１に示す第１実施形態における後方領域は、前方部Ａの一部である、前方部Ａにおける後述する第２横断溝８６よりも後方の領域と、後方部Ｂの全域とからなる。
【００１５】
第１実施形態においては、図１に示すように、本体５の表面シート３側に、排泄領域Ｐを包囲する全周圧搾溝８が形成されており、第１の後方圧搾溝８１は、該全周圧搾溝８の一部である。即ち、全周圧搾溝８における本体長手方向後端５ｂ寄りの部分が、第１の後方圧搾溝８１を兼ねている。第１の後方圧搾溝８１は、第２の後方圧搾溝９１と同様に、ナプキン長手方向後端１ｂに向けて凸の円弧状を有している。全周圧搾溝８が形成されていると、全周圧搾溝８に包囲された領域（排泄領域Ｐ）が着用者の肌側へ隆起するため、特に排泄領域Ｐを有する前方部Ａの身体形状に対する追従性が高まり、良好なフィット性、液吸収性が得られる。全周圧搾溝８は、表面シート３と吸収体２とが一体的に圧密化されて形成された溝部であり、例えば公知のエンボス装置を用いて本体５を表面シート３側から圧搾することにより形成することができる。
【００１６】
後方圧搾溝８１，９１が形成されていることで、ナプキン１の長手方向の可撓性が高まり、後方圧搾溝８１，９１それぞれを折り曲げ起点としてナプキン１が肌当接面側に折れ曲がり易くなるため、ナプキン１全体の身体形状に対する追従性が高まる。また、上述したように全周圧搾溝８に包囲された前方部Ａの幅方向中央の領域が隆起すると、後方部Ｂの長手方向の可撓性が低下するため、これを無理に身体形状に沿わせたときにナプキン幅方向に延びる皴が発生し、漏れ防止性とフィット性の低下を招くという問題があるが、後方圧搾溝８１，９１が形成されていることで、このような皴の発生が効果的に抑制される。特に、第１実施形態のように第１の後方圧搾溝８１が全周圧搾溝８の一部として形成されている場合は、斯かる皴の発生が効果的に抑制される。
【００１７】
第１の後方圧搾溝８１の如き、複数の後方圧搾溝のうち最も吸収性物品の長手方向前端寄りに位置する後方圧搾溝は、ナプキン１の長手方向中央（ナプキン１を長手方向に二分する仮想線）を基準として、ナプキン長手方向前端１ａ側にあっても良く、ナプキン長手方向後端１ｂ側にあっても良い。また、該後方圧搾溝は、該仮想線からナプキン１の長手方向に沿って０〜３０ｍｍ、特に０〜２０ｍｍ離間した位置にあることが、上述した後方圧搾溝８１，９１による効果をより安定的に得られるようにする点で好ましい。
また同様の観点から、第１の後方圧搾溝８１と第２の後方圧搾溝９１と間の最短距離（隣り合う後方圧搾溝間の最短距離）は、ナプキン１の長手方向の全長の１０〜４０％が好ましく、２０〜３０％が更に好ましい。
また同様の観点から、後方圧搾溝８１，９１それぞれは、該後方圧搾溝の形成部位における本体５の最大幅に対して４０〜９０％の範囲に亘って形成されていることが好ましく、５０〜８０％の範囲に亘って形成されていることが更に好ましい。
【００１８】
また、後方圧搾溝８１，９１それぞれの幅は、好ましくは２０〜７０ｍｍ、更に好ましくは３０〜６０ｍｍであり、深さは、好ましくは２〜１０ｍｍ、更に好ましくは３〜８ｍｍである。また、後方圧搾溝８１，９１それぞれの深さ（Ｄ）の、当該圧搾溝の形成されていない部分（但し、当該圧搾溝が形成されている部分と同一の構成部材からなる部分に限る）の厚さＴ０に対する比（Ｄ／Ｔ０）は、好ましくは０．５〜０．９９、更に好ましくは０．７〜０．９５である。
【００１９】
全周圧搾溝８は、図１に示すように、ナプキン１の幅方向を二分する仮想線（図示せず）を挟んで左右対称に形成され、且つナプキン１の幅方向外方に向って凸に湾曲する部分が、括れ部８ａ，８ｂを挟んでナプキン長手方向に３つ連なった形状を有しており、これら３つのうちの真ん中に位置する凸に湾曲する部分が、排泄領域Ｐのナプキン幅方向の外側に位置している。即ち、全周圧搾溝８は相対向する二対の括れ部８ａ，８ａ及び８ｂ，８ｂを有している。全周圧搾溝８が斯かる形状を有していることにより、全周圧搾溝８が括れ部のない形状を有している場合に比して、全周圧搾溝８に包囲された領域（排泄領域Ｐ）の着用者の肌側への隆起が一層起こり易くなるため、前方部Ａの身体形状に対する追従性が一層高まる。
【００２０】
全周圧搾溝８によって閉じられた領域内には、相対向する一対の括れ部８ａ，８ａ間に亘って本体５の幅方向に延びる第１横断溝８５が形成されていると共に、相対向する一対の括れ部８ｂ，８ｂ間に亘って本体５の幅方向に延びる第２横断溝８６が形成されており、排泄領域Ｐは、これら一対の横断溝８５，８６間に位置している。横断溝８５，８６は、何れも前方部Ａに形成されており、また、排泄領域Ｐの後方に位置する第２横断溝８６は、上述したように前記後方領域には形成されていない（第２横断溝８６は、前記後方圧搾溝ではない）。第１横断溝８５は、ナプキン長手方向前端１ａに向けて凸の円弧状に形成され、第２横断溝８６は、ナプキン長手方向後端１ｂに向けて凸の円弧状に形成され、また、何れの圧搾溝８５，８６も、全周圧搾溝８とは繋がっていない。このような横断溝８５，８６の存在により、全周圧搾溝８に包囲された領域（排泄領域Ｐ）の着用者の肌側への隆起によって生じる歪が後方部Ｂに伝わりにくくなり、第１の後方圧搾溝８１の効果をより高め、後方部Ｂに該歪に起因する皴等の不都合が生じにくくなる。
全周圧搾溝８（後方圧搾溝８１を除く部分）、横断溝８５，８６それぞれの幅、深さ及び前記Ｄ／Ｔ０は、それぞれ、後方圧搾溝８１，９１と同様にすることができる。
【００２１】
上述の如き後方圧搾溝を有する本発明の吸収性物品においては、該後方圧搾溝を境界として、前記本体の長手方向後端側の厚みが、該本体の長手方向前端側の厚みに比して大きくなされている。第１実施形態のように後方圧搾溝が複数形成されている場合は、各後方圧搾溝それぞれを境界としてその前後に位置する領域について、このような本体についての厚みの関係が成立する。
即ち、第１実施形態のナプキン１は、第１の後方圧搾溝８１を境界として、本体５の長手方向後端５ｂ側の厚みＴ２（図３参照）が、本体５の長手方向前端５ａ側の厚みＴ１（図２参照）に比して大きい（Ｔ２＞Ｔ１）。また、第２の後方圧搾溝９１を境界として、本体５の長手方向後端１ｂ側の厚みＴ３（図４参照）が、本体５の長手方向前端５ａ側の厚みＴ２に比して大きい（Ｔ３＞Ｔ２）。ここでいう「厚み」は、後方圧搾溝８１（９１）を境界としてその前後に位置する本体５の領域（後方圧搾溝８１（９１）の周縁から１０ｍｍ以内の領域を除く）それぞれにおける、無荷重下での最大厚み（ハンディ圧縮試験機ＫＥＳ−Ｇ５による０．５ｇ／ｃｍ2荷重下、任意の複数の測定点における厚みの最大値）を意味する。
【００２２】
このように、第１実施形態のナプキン１は、複数の後方圧搾溝８１，９１それぞれを境界として、本体長手方向前端５ａから本体長手方向後端５ｂに向かって（ナプキン長手方向前端１ａからナプキン長手方向後端１ｂに向かって）本体５の厚みが大きくなるように設計されている。斯かる構成を有しているナプキン１は、後方圧搾溝８１，９１という２箇所の折り曲げ起点を有しているため、身体形状に適合し易く、また、上述した厚み変化を有しているため、特に後方部Ｂの身体形状に対するフィット性が高く臀部の被覆性に優れている。ナプキン１は、このように着用者の股間部及びその周辺にフィットするので、液吸収性が良好で、後漏れ等の液漏れを生じ難い。
【００２３】
第１の後方圧搾溝８１を境界として、本体長手方向後端５ｂ側に位置する本体５の領域の厚みＴ２と、本体長手方向前端５ａ側に位置する本体５の領域の厚みＴ１との差（Ｔ２−Ｔ１）は、上述した効果を確実に奏させるようにする観点から、好ましくは１．５〜５ｍｍ、更に好ましくは２〜３ｍｍである。
第２の後方圧搾溝９１を境界として、本体長手方向後端５ｂ側に位置する本体５の領域の厚みＴ３と、本体長手方向前端５ａ側に位置する本体５の領域の厚みＴ２との差（Ｔ３−Ｔ２）についても、Ｔ２−Ｔ１と同様にすることが好ましい。
【００２４】
厚みＴ１は、好ましくは１．５〜６ｍｍ、更に好ましくは２〜５ｍｍである。厚みＴ２は、好ましくは３〜１０ｍｍ、更に好ましくは４〜８ｍｍである。厚みＴ３は、好ましくは４．５〜１２ｍｍ、更に好ましくは５〜１０ｍｍである。
【００２５】
第１実施形態のナプキン１は、本体５が後方圧搾溝８１，９１を境界として上述の如き厚み変化を有していることに加えて、更に、後方圧搾溝８１，９１を境界として、本体５の長手方向後端５ｂ側の曲げ剛性が、本体５の長手方向前端５ａ側の曲げ剛性に比して大きくなされている。
即ち、第１実施形態のナプキン１は、第１の後方圧搾溝８１を境界として、本体５の長手方向後端５ｂ側の曲げ剛性Ｇ２が、本体５の長手方向前端５ａ側の曲げ剛性Ｇ１に比して大きい（Ｇ２＞Ｇ１）。また、第２の後方圧搾溝９１を境界として、本体５の長手方向後端１ｂ側の曲げ剛性Ｇ３が、本体５の長手方向前端５ａ側の曲げ剛性Ｇ２に比して大きい（Ｇ３＞Ｇ２）。ここでいう「曲げ剛性」は、後方圧搾溝８１（９１）を境界としてその前後に位置する本体５の領域（後方圧搾溝８１（９１）の周縁から１０ｍｍ以内の領域を除く）それぞれにおける、下記測定法により測定された曲げ剛性を意味する。
斯かる構成により、ナプキン１は、特に後方部Ｂの折り曲げ易さが高まり、後方部Ｂの身体形状に対する追従性が一層高まり、フィット性、液吸収性に好影響を与える。曲げ剛性は、当該部分の厚みや形成材料の影響を受けやすく、一般に、厚みが大きくなるほど、また、形成材料が硬いものであるほど、大きくなる。曲げ剛性は、次のようにして測定される。
【００２６】
（曲げ剛性の測定方法）
曲げ剛性の測定には、ＪＩＳ  Ｌ１０９６（一般織物試験方法、確認2004）剛軟性Ｅ法に適合した（株）製作所製：ＨＯＭ−２ハンドルオメーター試験機を使用する。スリット間を３０ｍｍに調整した該試験機の試料台上に、試験片（吸収性物品の本体）を、該試験片の測定部位がスリット間の中心に位置するように且つ該本体（吸収体）の長手方向に沿う方向が、スリット間に沿う方向に直交する方向と一致するようにして、水平に配置する。試験片は試料台に固定しない。試料台の表面から８ｍｍ下方の位置（最下位置）まで下降するように調整したブレードを、試験片の上方から一定速度：２００ｍｍ／ｍｉｎで下降させる。そして、該ブレードで試験片を長さ方向前後に押圧したときの指示計（荷重計）が示す最高値（ｃＮ）を読み取る。測定は異なる試験片で３回行い、その平均値を算出して曲げ剛性とした。
尚、試験片については、上述したように試験片に後方圧搾部８１、９１及びその周辺が含まれないようにし、且つ吸収性物品の幅をそのまま試験片の幅とし、長手方向長さ６０ｍｍで調整する。また、吸収性物品の非肌当接面側に上述した本体粘着部等の粘着部がある場合は、タルク等を使用して該粘着部が粘着性を発現しないようにする。また、測定については、スリット端部より１５ｍｍずつ離れて長手方向端部があるように試験片を設置し、測定条件は、２３℃、５０％ＲＨ環境下とする。
【００２７】
第１の後方圧搾溝８１を境界として、本体長手方向前端５ａ側に位置する本体５の領域の曲げ剛性Ｇ１に対する、長手方向後端５ｂ側に位置する本体５の領域の曲げ剛性Ｇ２の比（Ｇ２／Ｇ１）は、上述した効果を確実に奏させるようにする観点から、好ましくは
１．２〜５、更に好ましくは１．５〜４である。
第２の後方圧搾溝９１を境界として、本体長手方向前端５ａ側に位置する本体５の領域の曲げ剛性Ｇ２に対する、本体長手方向後端５ｂ側に位置する本体５の領域の曲げ剛性Ｇ３の比（Ｇ３／Ｇ２）についても、Ｇ２／Ｇ１と同様にすることが好ましい。
また、曲げ剛性Ｇ１は、好ましくは１０〜８０、更に好ましくは１５〜５０である。曲げ剛性Ｇ３は、好ましくは３０〜１５０、更に好ましくは５０〜１２０である。
【００２８】
第１実施形態のナプキン１における上述の如き厚み変化、曲げ剛性変化は、主として、以下に説明する吸収体２の構成の採用によって実現されている。
第１実施形態の吸収体２は、前方部Ａから後方部Ｂに延び且つ排泄領域Ｐを形成する縦長の下層吸収体２０と、後方部Ｂにおける該下層吸収体２０の肌当接面側に配置された第１後方吸収体２１と、該第１後方吸収体２１の肌当接面側に配置された第２後方吸収体２２とを含んで構成されている。第１後方吸収体２１は、第１の後方圧搾溝８１よりも背側に配される領域に配されており、第２後方吸収体２１は、第２の後方圧搾溝９１よりも背側に配される領域に配されている。下層吸収体２０は、後方部Ｂにおいてその長手方向両側縁が幅方向外方に延出し、その延出部２０ｆ，２０ｆが表面シート３及び裏面シート４と共に一対の後方フラップ６，６を形成している。
下層吸収体２０の肌当接面側と第１後方吸収体２１の非肌当接面側との間、第１後方吸収体２１の肌当接面側と第２後方吸収体２２の非肌当接面側との間は、それぞれ、接着剤等の接合手段により接合されていても良い。
【００２９】
第１後方吸収体２１は、縦長の平板状で、第１後方吸収体２１における第１の後方圧搾溝８１寄りの長手方向前端２１ａは、平面視において、ナプキン長手方向後端１ｂに向けて凸の円弧状を有している。
第１後方吸収体２１の幅（最大幅）Ｗ１は、下層吸収体２０の前方部Ａにおける最大幅（本体５の幅）Ｗ０と略同じ幅を有している。第１後方吸収体２１の幅Ｗ１と下層吸収体２０の前方部Ａにおける最大幅Ｗ０との比（Ｗ１／Ｗ０）は、好ましくは０．９〜１．１、更に好ましくは０．９５〜１．０５である。また、第１後方吸収体２１の長手方向の長さ（Ｌ１）と下層吸収体２０の長手方向の長さ（Ｌ０）との比（Ｌ１／Ｌ０）は、好ましくは０．３〜０．６、更に好ましくは０．３５〜０．５５である。
【００３０】
第１後方吸収体２１の長手方向前端２１ａと、第１の後方圧搾溝８１との位置関係については、下記１）及び２）の何れの形態でも良い。
１）第１後方吸収体２１の長手方向前端２１ａが、第１の後方圧搾溝８１よりも本体５の長手方向後端５ｂ寄りに位置する形態（図１参照）。
２）第１後方吸収体２１の長手方向前端２１ａと第１の後方圧搾溝８１とが重なっている形態。
前記１）の形態においては、第１後方吸収体２１の長手方向前端２１ａと第１の後方圧搾溝８１との間の距離は、好ましくは２〜１０ｍｍ、更に好ましくは３〜７ｍｍである。
【００３１】
第２後方吸収体２２は、縦長の平板状で、第１後方吸収体２１よりも幅狭に形成されている。第２後方吸収体２２における第２の後方圧搾溝９１寄りの長手方向前端２２ａは、平面視において、ナプキン長手方向後端１ｂに向けて凸の円弧状を有しており、身体の溝形状に沿い易い形を成している。
第２後方吸収体２２の幅（最大幅）Ｗ２と下層吸収体２０の前方部Ａにおける最大幅Ｗ０との比（Ｗ２／Ｗ０）は、好ましくは０．３〜１．１、更に好ましくは０．４〜０．８である。また、第２後方吸収体２２の長手方向の長さ（Ｌ２）と下層吸収体２０の長手方向の長さ（Ｌ０）との比（Ｌ２／Ｌ０）は、好ましくは１０〜３０、更に好ましくは１０〜２０である。
第２後方吸収体２２の長手方向前端２２ａと第２の後方圧搾溝９１との位置関係については、上述した第１後方吸収体２１の長手方向前端２１ａと第１の後方圧搾溝８１との位置関係と同様にすることができる。
【００３２】
第１後方吸収体２１、第２後方吸収体２２としては、それぞれ、通常、生理用ナプキンにおいて吸収体として用いられるものを特に制限無く用いることができ、例えば、解繊パルプ等の親水性繊維からなる繊維集合体、又は該繊維集合体に高吸収性ポリマーを保持させたもの等を用いることができる。このような繊維集合体は、紙や不織布などからなる台紙によって略全体が被覆されていてもよい。
【００３３】
第１後方吸収体２１の坪量は、好ましくは１２０〜４００ｇ／ｍ2、更に好ましくは１５０〜３００ｇ／ｍ2であり、高吸収性ポリマーを有していることが好ましい。
第２後方吸収体２２の坪量は、好ましくは１２０〜４００ｇ／ｍ2、更に好ましくは１５０〜３００ｇ／ｍ2であり、高吸収性ポリマーを有していないことが好ましく、パルプ繊維からなるか合成繊維と混合され第１後方吸収体２１より低密度であることが好ましい。
斯かる構成を有する第１後方吸収体２１及び第２後方吸収体２２の存在により、ナプキンの長手方向のフィット性が高くなると共に、ナプキンを身体形状に沿わせる際に該ナプキンを長手方向に大きく曲げる必要がなく、後方圧搾溝８１、９１の窪みが完全に閉じられることがないため、特に後方部Ｂにおける漏れ防止性を高めることができる。
【００３４】
下層吸収体２０としては、第１後方吸収体２１、第２後方吸収体２２と同様のものを用いることができる。特に、液保持性の高いシート状材料、あるいは該シート材料を含んでいるものが好ましく、例えば、紙、不織布等によって高吸収性ポリマーを挟み込んだ吸収性シート；シートの製造時における抄紙工程後乾燥までの間に該シートに高吸収性ポリマー粒子を散布することで、厚み方向に高吸収性ポリマー粒子を分散させた吸収性シート等を用いることができる。また、液拡散性の低いシート状材料を用いることもできる。液拡散性の低いシート状材料の具体例としては、パルプを積繊し、バインダーで固定した乾式パルプシート〔商品名「ＪＳ−５０ＨＢ」ハビックス（株）製等〕や、湿式吸収紙にエンボス加工したエンボス吸収紙等が挙げられ、そのうち、コストの点からエンボス吸収紙が特に好ましい。
【００３５】
下層吸収体２０の坪量は、好ましくは４０〜３００ｇ／ｍ2、更に好ましくは８０〜２５０ｇ／ｍ2である。
下層吸収体２０の長手方向の長さ（全長）は、好ましくは２６〜４５ｃｍ、更に好ましくは２８〜４０ｃｍであり、前方部Ａにおける最大幅（本体５の幅）は、好ましくは６．５〜８．５ｃｍ、更に好ましくは７．５〜８．５ｃｍである。
【００３６】
第１実施形態のナプキン１は、上述したように本体５の後方部Ｂにおける左右両側縁それぞれから幅方向外方に延出する一対の後方フラップ６，６を備えている。後方フラップ６の本体５の長手方向側縁からの延出（最大）幅は、本体５の幅（下層吸収体２０の前方部Ａにおける最大幅）の１２０〜２４０％とすることが好ましい。
【００３７】
第１実施形態においては、後方フラップ６は、排泄領域Ｐを形成する吸収体材料、即ち、下層吸収体２０と実質的に連続している。ここで、「実質的に連続している」には、（１）第１実施形態の如き、排泄領域Ｐを形成する吸収体材料と後方フラップとが一体不可分に形成されている形態（吸収体材料の一部が後方フラップを形成している形態）の他、（２）吸収体材料と後方フラップとが分離可能に接合している形態（例えば吸収体材料と後方フラップとの間にミシン目が形成されている形態）、（３）吸収体材料と該吸収体材料とは別体の後方フラップとがシートで包まれることにより一体とされている形態が含まれる。
後方フラップ６が排泄領域Ｐを形成する吸収体材料と実質的に連続していることにより、排泄領域Ｐに排泄された液の後方フラップ６への移行がスムーズになり、ナプキン１全体としての液吸収性が一層高まる。特に、前記（１）の形態は、フィット性の向上効果に優れている。
【００３８】
また、下層吸収体２０の延出部２０ｆ（後方フラップ吸収体２０ｆ）は、可撓性がありヒップ被覆性に優れることが好ましいが、（１）の場合には部分的に圧縮する熱エンボス処理等によって吸収体の厚みを抑えてフィット性（被覆性）を良好にしながら可撓性を十分に有する形態とすることができる。このようにして下層吸収体２０より薄い後方フラップ吸収体２０ｆを有すると、後方側部方向に流れる液を素早く吸収し端部からのモレを抑えると共に、後方フラップ６での吸収量が多くても下層吸収体２０へ液を移動させることができるという副次的効果を有する。
【００３９】
表面シート３、裏面シート４としては、それぞれ当該技術分野において従来用いられている各種のものを特に制限なく用いることができる。表面シート３としては、例えば、不織布や開孔フィルム等の各種液透過性のシート材を用いることができる。裏面シート４は、液不透過性でも液透過性でも良く、例えば、透湿性を有しない樹脂フィルムや、微細孔を有し、透湿性を有する樹脂フィルム、撥水不織布等の不織布、これらと他のシートとのラミネート体等を用いることができる。
【００４０】
第１実施形態のナプキン１は、通常の後方フラップ付きの（夜用の）生理用ナプキンと同様に下着に装着して使用できる。
そして、第１実施形態のナプキン１によれば、後方圧搾溝８１，９１を境界として本体長手方向前端５ａから本体長手方向後端５ｂに向かって本体５の厚みが大きくなっているため、吸収体２が身体形状に適合しやすく、液吸収性、後方部Ｂによる臀部被覆性、フィット性（特に後方部Ｂのフィット性）の点で満足できる結果が得られる。また、着用時に発生するナプキン幅方向に沿った皴の発生が、後方圧搾溝８１，９１によって抑制される。
【００４１】
次に、本発明の他の実施形態について図面を参照して説明する。後述する他の実施形態については、上述した第１実施形態のナプキン１と異なる構成部分を主として説明し、同様の構成部分は同一の符号を付して説明を省略する。特に説明しない構成部分は、第１実施形態のナプキン１についての説明が適宜適用される。
【００４２】
図５〜図７には、第２実施形態のナプキン１が示されている。第２実施形態のナプキン１は、吸収体２の構成、特に下層吸収体２０及び第１後方吸収体２１の形状が第１実施形態と異なる。
即ち、第２実施形態においては、下層吸収体２０が、その長手方向の全長に亘って一定の幅を有しており、後方フラップ６を形成していない代わりに、第１後方吸収体２１が、後方部Ｂにおいてその長手方向両側縁が幅方向外方に延出し、その延出部２１ｆ，２１ｆ（後方フラップ吸収体２１ｆ）が表面シート３及び裏面シート４と共に一対の後方フラップ６，６を形成している。また、全周圧搾溝８における二対の括れ部８ａ，８ａ及び８ｂ，８ｂそれぞれにおいて溝が繋がっておらず、全周圧搾溝８が長手方向に３つに分断されている点でも第１実施形態と異なる。このような構成を有する第２実施形態によっても、第１実施形態と同様の効果が奏される。
【００４３】
また、第２実施形態においては、第１実施形態と異なり、第２後方吸収体２２が平面視において矩形や台形あるいはこれらに準じた形状を有しているが、後方フラップ吸収体２１ｆが第１後方吸収体２１に延出する形態で形成され且つ該第１後方吸収体２１の直上に第２後方吸収体２２が形成されているため、第２後方吸収体２２が本体５の長手方向後端５ｂ側でも広く形成されていると、ヒップの被覆効果を高めることができる。
また、第１実施形態に比べて第２実施形態では、第１の後方圧搾溝８１の平面視における形状と、第１後方吸収体２１における第１の後方圧搾溝８１寄りの長手方向前端２１ａの平面視における形状との類似性が高いため（両者が何れも同程度の曲率を有する円弧状に形成されているため）、部分的に圧搾溝を潰す事がなく、適度な曲げ易さと吸収体への皺発生の抑制をすることができる。
【００４４】
図８〜図１０には、第３実施形態のナプキン１が示されている。第３実施形態のナプキン１は、複数ではなく、単一の後方圧搾溝８１が形成されている点で第１実施形態と異なる。第３実施形態の後方圧搾溝８１は、全周圧搾溝８の一部であり、該全周圧搾溝８における本体長手方向後端５ｂ寄りの部分が、後方圧搾溝８１を兼ねている。
また、第３実施形態の吸収体２は、第２実施形態と同様の下層吸収体２０及び第１後方吸収体２１と、前方部Ａにおける下層吸収体２０の肌当接面側に配置された前方吸収体２３とを含んで構成されている。つまり、前方部Ａ、後方部Ｂ共に、２層の吸収体を含んで構成されている。
【００４５】
前方吸収体２３は、縦長で且つ下層吸収体２０よりも幅狭であり、且つ排泄領域Ｐを跨ぐように配置されている。前方吸収体２３は、全周圧搾溝８によって包囲されており、これにより、表面シート３と下層吸収体２０とからなる閉鎖空間に封入されている。前方吸収体２３が存在することで、前方部Ａが中高構造を有するようになるため、排泄領域Ｐにおける身体形状に対するフィット性及び液吸収性が高まると共に、上述した全周圧搾溝８の形成に起因する歪が低減され、皴が発生し難くなる。
尚、前方吸収体２３が形成されて前方部Ａが中高になっていても、第３実施形態のナプキン１は、後方圧搾溝８１を境界として、本体５の長手方向後端５ｂ側の厚みＴ２（図１０参照）が、本体５の長手方向前端５ａ側の厚みＴ１（図９参照）に比して大きく（Ｔ２＞Ｔ１）、また、後方圧搾溝８１を境界として、本体５の長手方向後端５ｂ側の曲げ剛性Ｇ２が、本体５の長手方向前端５ａ側の曲げ剛性Ｇ１に比して大きい（Ｇ２＞Ｇ１）。
【００４６】
前方吸収体２３としては、第１後方吸収体２１と同様のものを用いることができる。
前方吸収体２３と下層吸収体２０との積層部分の無荷重下における厚みは、好ましくは３〜１０ｍｍ、更に好ましくは４〜８ｍｍであり、前方吸収体２３単独の坪量は、好ましくは４０〜３００ｇ／ｍ2、更に好ましくは８０〜２５０ｇ／ｍ2である。
また、前方吸収体２３の幅（最大幅）Ｗ３と下層吸収体２０の前方部Ａにおける最大幅Ｗ０との比（Ｗ３／Ｗ０）は、好ましくは０．２〜０．５、更に好ましくは０．３〜０．４である。前方吸収体２３の長手方向の長さ（Ｌ３）と下層吸収体２０の長手方向の長さ（Ｌ０）との比（Ｌ３／Ｌ０）は、好ましくは０．１〜０．５、更に好ましくは０．２〜０．４である。
このような構成を有する第３実施形態によっても、第１実施形態と略同様の効果が奏される。但し、第３実施形態は、後方圧搾溝が１つしか形成されていないため、後方圧搾溝が複数形成されている第１及び第２実施形態に比して、厚み変化、剛性変化に乏しい分、フィット性に劣る。
【００４７】
以上、本発明をその好ましい実施形態に基づき説明したが、本発明は前記実施形態に制限されない。
例えば、後方圧搾溝８１，９１は、前記後方領域の本体幅方向中央部における本体５の表面シート３側において、本体５の幅方向に延びるように形成されていれば良く、その平面視における形状は、前記実施形態の如き円弧状に限定されず、直線状、台形状等でも良い。また、後方圧搾溝の数は１本でも複数本でも良く、適宜設定可能である。
また、ウイング部７には吸収体が設けられていても良い。また、ウイング部７自体が無くても良い。
また、前記実施形態では、本発明の吸収性物品の適用例の一つとして生理用ナプキンを挙げたが、例えばパンティライナー、おりものシート、失禁パッド等にも適用できる。
【図面の簡単な説明】
【００４８】
【図１】本発明の第１実施形態である生理用ナプキンの肌当接面側（表面シート側）を示す平面図である。
【図２】図１のＸ−Ｘ線断面を模式的に示す断面図である。
【図３】図１のＹ−Ｙ線断面を模式的に示す断面図である。
【図４】図１のＺ−Ｚ線断面を模式的に示す断面図である。
【図５】本発明の第２実施形態である生理用ナプキンの肌当接面側（表面シート側）を示す平面図である。
【図６】図５のＸ−Ｘ線断面を模式的に示す断面図である。
【図７】図５のＹ−Ｙ線断面を模式的に示す断面図である。
【図８】本発明の第３実施形態である生理用ナプキンの肌当接面側（表面シート側）を示す平面図である。
【図９】図８のＸ−Ｘ線断面を模式的に示す断面図である。
【図１０】図８のＹ−Ｙ線断面を模式的に示す断面図である。
【符号の説明】
【００４９】
１  生理用ナプキン（吸収性物品）
２  吸収体
２０  下層吸収体
２１  第１後方吸収体
２２  第２後方吸収体
２３  前方吸収体
３  表面シート
４  裏面シート
５  本体
６  後方フラップ
７  ウイング部
８  全周圧搾溝
８１  第１後方圧搾溝
８ａ  括れ部
８５  第１横断溝
８６  第２横断溝
９１  第２後方圧搾溝
Ａ  前方部
Ｂ  後方部
Ｐ  排泄領域
【図１】
0005084442.tif 000002
【図２】
0005084442.tif 000003
【図３】
0005084442.tif 000004
【図４】
0005084442.tif 000005
【図５】
0005084442.tif 000006
【図６】
0005084442.tif 000007
【図７】
0005084442.tif 000008
【図８】
0005084442.tif 000009
【図９】
0005084442.tif 000010
【図１０】
0005084442.tif 000011